(57)【要約】【課題】  操作性がよく便利でかつ健康にもよい安全なスマートフォンを提供すること。【解決手段】  手袋様のものやリストバンドなどにスマートフォン装着具を設けた。【選択図】        図4
2014004100.tif 000002
【特許請求の範囲】
【請求項１】
手袋様のものやリストバンドなど、手付近に装着しうるものにスマートフォンの面操作を妨げない装着部を設け、ここにスマートフォンを装着して操作保持し得ることを特徴とするスマートフォン装着具及びスマートフォンを搭載した前記装着具。
【発明の詳細な説明】
【技術分野】
【０００１】
本発明は手の甲でスマートフォンを保持操作し得る装着具に関する。
【背景技術】
【０００２】
近年、スマートフォンが多く用いられるようになっている。従来スマートフォンはかばんやポケットの中にしまい、必要な時だけ取り出して使用する。図1の公知例を説明する。1はスマートフォン、2はカバン又はハンドバッグ、3は時間を示す。スマートフォン1に電話がかかってきて、スマートフォン1の呼び出し音が鳴った時に、かばん又はハンドバッグ2の中にあるスマートフォン1を取り出すのに時間3がかかり、速やかに対応できないので、通話に間に合わず相手が電話を切ってしまい通話できないという問題があった。
また、図2に示すように、カバン又はハンドバック2と混在する他の物品5にスマートフォン1が当って誤動作してしまう。これはスマートフォン1の液晶画面が外に出ており、操作時にこの画面で行なうからである。
【０００３】
スマートフォン1のほかの保持場所として往々にして胸ポケットに入れる。図3で、5はシャツやスーツの胸ポケット、6はその人の心臓である。スマートフォン1を胸ポケット5に入れていると、スマートフォン1から電波が送受信されるので、発生する電磁波が心臓6に悪影響を及ぼすということがＷＨＯで科学的実験で立証されている。
本発明者は、過去に携帯電話に関する発明を提出ずみである。例えば腕電話(特開平9-130461号)であり、腕直角キーボード・画面電話端末(特開2004-274419号)であり、また腕携帯電話装置(特開2009-268041号)である。本発明は、本発明者により、これらの発明を更に進化させたスマートフォン用の発明である。
【先行技術文献】
【特許文献】
【０００４】
【特許文献１】特開2009-268041号公報
【特許文献２】特開2004-274419号公報
【特許文献３】特開平9-130461号公報
【発明の概要】
【発明が解決しようとする課題】
【０００５】
従来のスマートフォンの用いられ方は、バッグ等からの取り出し時間を要し、応答に間に合わないこと、カバンの中で誤動作してしまうこと、健康によくないこと、写真を撮る時にぶれること、スマートフォンで電話をかける時、両手を使えないこと等の欠陥があり、本発明はこれらの欠陥を除去したスマートフォンにすることを目的としている。
【課題を解決するための手段】
【０００６】
（1）請求項1記載の発明は、手袋様のものやリストバンドなど、手付近にスマートフォンの収納ケースを設けたことを特徴としている。
【発明の効果】
【０００７】
本発明によれば、スマートフォンを、手の甲付近に装着することができるので、画面の操作性がよくなり、カバンに入れておく必要がなく、電話がかかってきたらすぐに応答することができ、またカバンの中で勝手に誤動作を始めることがない。また、スマートフォンをワイシャツのポケットに入れないですむので、スマートフォンを心臓から遠く離しておくことができ、心臓に悪影響を及ぼさない。また、両手が空いているので物を持ったり、両手が自由に使える。
また、カメラ撮影もスマートフォンが安定し固定しているため、画像がぶれない。更に放射能測定器付きスマートフォンでは、放射能を測定しやすくなり、安全にできる。
【図面の簡単な説明】
【０００８】
【図１】公知のカバンにスマートフォンを入れ、取り出すには時間がかかることを示す図
【図２】公知のスマートフォンがカバンの中で誤動作する状態を示す図
【図３】公知のワイシャツのポケットにスマートフォンが入り心臓に悪い状態を示す図
【図４】本発明の実施例1の装着部を手袋の縦方向に付けた平面図
【図５】本発明の実施例1の断面を示す図
【図６】本発明装着部にスマートフォンを装着した状態を示す図
【図７】本発明の実施例1でカメラの撮影の状態を示す図
【図８】本発明の実施例1の装着具を手袋の横方向に取り付けた平面図
【図９】本発明の実施例2にスマートフォンを取り付け、カメラ撮影をしている立面図
【図１０】本発明の実施例3で、リストバンドの直角方向(横方向)に装着部を付けた平面図
【図１１】本発明の実施例4の表面図(Ａ)と裏面図(Ｂ)
【図１２】本発明の実施例4の袖に装着した図
【図１３】本発明を右手の上から装着し、心臓から最も遠い位置に付けた実施例
【図１４】本発明でオーバーハンドで通話する説明図
【図１５】本発明で屈腕で通話する他の方法の説明図
【図１６】右手にペンを持ち、本発明を左手に装着した実施の説明図
【図１７】右手にペンを持ち、本発明を左手に装着してオーバーハンドで使用している実施の説明図
【図１８】右手にペンを持ち、本発明を左手に装着して屈腕で使用している実施の説明図
【図１９】本発明実施例5でスーツ等の袖にスマートフォン用ポケットに設けたもの
【図２０】本発明で放射能測定を行なう図
【発明を実施するための形態】
【０００９】
以下、図面を参照して本発明の実施例を詳細に説明する。
【００１０】
図4は本発明の第1の実施例を示す図である。図の7は手袋様のものであり、両端に指先入口8，指先出口9があり、また右側面に左拇指用孔10があり、左手を挿入することができるようになっている。左利き用は、この拇指用孔10は左側に設け、右手を挿入する。11，12はスマートフォンの装着部であり、スマートフォンの側面の抑え12や取り付け用孔13があいており、手袋様のもの7と装着部11とは装着部11の取り付け用孔13に糸14を通し手袋様のもの7に縫うことにより固着されている。
固着の方法としては、ビス状のものや接着剤で固着してもよい。その他、手袋様のもの7にスマートフォンを附着することができるものであれば、どのような方法を用いてもよい。また、図4に示す如く、手袋様のものに代えて、リストバンド等を用いることができる。以降では、一括して「手袋様のもの」を用いることにする。
図4において、8，9は手袋様のもの7の出入り口であり、例えば図に示すように縁取り8’，9’されている。10は手袋様のもの7の一部に設けられた拇指を外に出すための開口で、周囲は縁取り10’されている。なお、縁取りすることは必ずしも必要なものではなく、端部がほつれないものであれば、設けなくてもよい。
このような構成によれば、スマートフォンを握らなくて手に装着することができるので、電話がかかってきたらすぐに応答することができ、またスマートフォンを心臓部から離しておくことができるので、健康上も問題となることがなくなる。使い方の実際はスマートフォンが手の甲に付けられた状態で使用される。
【００１１】
図5は本発明の図4の本発明第1の実施例を断面で示した図である。図4と同一のものは、同一の符号を付して示す。7は手袋様のものであり、その内部は手を入れるための孔8，9がある。11，12はスマートフォンの装着部であり、手袋様のもの7と糸14で手袋の長さ方向に縫い合わされ固着されている。そして、図示しないがここにスマートフォンが装着されるようになっている。この装着部11には、スマートフォンを固着するための固着機構12が設けられている。
手袋様のものは、手袋を使用するものであってもよいし、又はゴムバンド等のようなものであってもよい。即ち、装着部11，12を手の甲に附着できるものであれば、どのような形態のものであってもよい。
図6は装着部11，12を附着した手袋様のもの7に手を16，17に示すように挿入し、装着部11，12にスマートフォン1が取り付けられた様子を示している。図7はこの状態でカメラを使用する時の様子を示している。指17を折り曲げてできた前方視界に、スマートフォン1に取り付けられたカメラレンズ19から11の孔18を通して被写体を写す様子を示している。
図8は本発明の第2の実施例を示す図である。図に示す実施例は、手袋様のもの7の長さ方向に対して、装着部11，12を略垂直方向に附着した状態を示している。孔18はスマートフォン1に設けられているカメラレンズの位置に合わせてある。このように孔18を突出して配置すると、カメラレンズ部19が手から飛び出し、写真を撮れるように、図の左手の場合、左側に突出した位置に、装着部11を手袋様のもの7に糸14により装着部11の孔13と縫合されている。
図9は、図8にスマートフォン1を装着した本発明実施例2を示し、カメラ撮影を行なっている例で、腕15を水平にし、レンズ部19が手7より上に出ていて手7が邪魔にならずこのままでも撮影することができるが、更に右手で左手を支えれば、更にぶれずに撮影することができる。図10はスマートフォン装着部11をリストバンド10は腕と直角方向に設けた本発明実施例3を示す図で、手17，16は全部外に出ている。図18はカメラレンズ部で、腕15を水平にすれば縦写真を撮れる。
【００１２】
図11は本発明の実施例4のスマートフォンの装着部を示す図である。Ａは表面、Ｂは裏面である。28はバンド30がスーツ袖から滑り落ちないようにする滑り止めである。29はバンド30のマジックテープである。31はスマートフォン1が装着部11から落ちないようにするカバーである。27はバンド30を通すためのリングである。
21はスマートフォン1のスピーカ32の音が装着部11の外へ出るためのスピーカ窓である。装着部11の外へ出るためのスピーカ窓である。22はスマートフォン1の画面が装着部11の外からタッチできるためのスマートフォン画面窓である。
図12は本発明実施例4でスマートフォンを袖33に装着した時の図である。33は上着の袖である。20はシャツの袖である。24は手先である。スマートフォン1のスピーカ32と装着部11のスピーカ窓21とが一致するように、スマートフォン1を装着部11に収納し、スマートフォン1のスピーカ32がスマートフォン1の画面よりも手先24側にくるようにバンド30でスーツ袖33にスマートフォン1を装着する。これにより、後述するように、耳35の近くにスマートフォン1のスピーカ32がくるので、スマートフォン1を装着したままスマートフォンで通話ができる。
【００１３】
図13は本発明の実施例4のスマートフォンを右手の上から装着し、心臓6から最も遠い距離37に取り付けた実施例である。図において、1はスマートフォンであり、11は該スマートフォン1を収納する装着部、30は装着部11を手に装着するバンドであり、36は上着の右袖である。スマートフォン1を右袖に装着することで、スマートフォン1からの電話の呼び出しに直ぐに対応することができ、かつ心臓6とスマートフォン1間の距離37が遠いので、心臓6が強い電磁波を受けず、心臓6に安心で、健康によい。
図14は本発明の実施例4のスマートフォンを右腕をオーバーハンドして使用している実施例である。これは実施例1，2，3でも同じである。35は左耳であり、32はスマートフォン1のスピーカ又はイヤホンである。40は右肘、41は右腕である。スマートフォン1をオーバーハンドし、右肘40を折って本発明スマートフォンのスピーカ32がスマートフォン1の画面よりも左耳35に近くなるようにスマートフォンを持ってくることにより、スマートフォン1を右手に装着したまま通話ができる。スマートフォン1を右手に装着し、左の耳35でスマートフォン1のスピーカ32の音を聞く場合は、スマートフォン1が右手の甲側にくるようにスマートフォンを装着する。
図15は本発明のスマートフォンを右腕をオーバーハンドしないで使用している実施例である。スマートフォン1を右手に装着し、右の耳36でスマートフォン1のスピーカ32の音を聞く場合は、スマートフォン1が右手の掌にくるようにスマートフォン1を装着する。
図16は本発明のスマートフォン1を左手に装着し、右手にペン45を持った実施例である。33は左袖、45はペンである。スマートフォン1を左袖に装着することで、右手にペン45を持ち、且つスマートフォン1からの電話の呼び出しに直ぐに対応でき、電話のメモ取りが容易になる。また、スマートフォンの画面操作も右指で容易にできる。
【００１４】
図17は右手にペンを持ち、本発明のスマートフォンを左手に装着してオーバーハンドで使用している実施例である。33は上衣左袖、48は紙、46は左肘、47は左腕である。左腕47を胸につけ、左肘46を曲げて、本発明のスマートフォン1のスピーカ32がスマートフォン1の画面よりも右耳36に近くなるようにスマートフォンを持ってくることにより、スマートフォン1を左手33に装着したままスマートフォン1で通話ができる。スマートフォン1を左手33に装着し、右の耳36でスマートフォン1のスピーカ32の音を聞く場合は、スマートフォン1が左手の甲の側にくるようにスマートフォン1を装着する。
図18は右手にペン45を持ち、本発明のスマートフォンを左袖に装着して左腕を胸につけずに使用している実施例である。スマートフォン1を左袖33に装着し、左の耳35でスマートフォン1のスピーカ32の音を聞く場合には、スマートフォン1が左手33の掌の側にくるようにスマートフォン1を装着する。
図19は本発明の第5の実施例を示す図である。この実施例は、スーツやシャツの袖にスマートフォンを入れるポケットを設けたものである。図において、60はスーツ又はシャツ、61は左袖、62は袖ポケット、65は袖ポケット62のチャックである。この実施例では、図12で説明したスマートフォンと同じ機能を持たせるために、スーツ60の袖61に直接に袖ポケット62を取り付けて、スマートフォン1を装着した手とする例を示している。袖ポケット62にはスピーカ窓21と、スマートフォン画面窓64が取り付けられている。この場合において、スマートフォンが袖ポケット62から滑り落ちないように、チャック65が袖ポケット62に取り付けられている。
図20は本発明スマートフォンを放射能測定に用いる第6の実施例である。近年のスマートフォン又は他の携帯機器に放射能測定機能を設けたものがある。50が放射能測定機能を備えたスマートフォン又は他の測定機器である。近年、各地の放射能汚染が問題になっていることから、この放射能測定機能は重要な機能である。
この場合、放射能防御手袋51にスマートフォン等放射能測定器を装着し、これを放射能52方向に向け、放射体53から発する放射線52の強さや位置を測定するが、本発明により、安全に細かいところまで測定ができ、且つ手が空いているので、この手で他の操作ができ、便利である。
【００１５】
本発明で用いられる装着部11の材質は、プラスティック，ウレタンゴム，アルミ板で作られ、袋状のものは布で作る。手袋様のもの7の材質としては綿や合成繊維や、中にゴムを織り込んだ布状のものを用いてもよいし、或いは時計のベルト状のもので手の甲に締め付けるようにしてもよく、図20の実施例6の場合は、鉛等の放射線遮断材で手袋をつくる。
【００１６】
上述の6つの実施例では、装着部11，31，61に装着される機器としてスマートフォンを用いた場合を例にとったが、本発明はこれに限るものではなく、その他の機器についても同様に使用することができ、これらも本発明に含まれるものである。また、上記の他、種々の形態が考えられるが、これらも本発明に含まれるものである。
また、本発明は、装着部は、スマートフォンが装着されている場合も、装着されていない場合も本発明に含まれるものである。
以上、詳細に説明したように、本発明によれば、スマートフォンを操作性よく使用することができ、発明の効果の項で述べた多くの効果がある画期的な発明である。
【産業上の利用可能性】
【００１７】
本発明は、スマートフォン等を操作性よく安全、便利に使用できるので産業上の利用可能性大である。
【符号の説明】
【００１８】
1  スマートフォン
2  カバン又はハンドバッグ，袋
3  取り出し時間
4  カバン又はハンドバッグ，袋の中に入っている他のもの
5  胸ポケット
6  心臓
7  手袋様のもの
8  前記手袋様のもの7の手の入れ口
8‘  その縁取り
9  前記手袋様のもの7の手の出口
9‘  その縁取り
10  前記手袋様のもの7の拇指出口
10‘  その縁取り
11  スマートフォン装着用プラスティック製等装着部
12  その側面と上縁保持部
13  その底面に設けられた孔
14  手袋様のもの7と装着部11を縫い合わせる糸
15  腕
16  拇指
17  他の指
18  プラスティック等製スマートフォン装着部11の底部に開けたスマートフォン1のカメラレンズ用孔
19  スマートフォン1のカメラレンズ
20  ワイシャツの袖
21  スマートフォン装着部のスピーカ用窓
22  スマートフォン装着部の透明窓
27  バンド30用リング
28  すべり止め
29  マジックテープ
30  ベルト
31  ケース蓋
32  スマートフォンスピーカ
33  上衣袖
34  右耳
35  左耳
36  右袖
37  心臓とスマートフォン間の距離
38  右耳
40  右肘
41  右腕
45  ペン
46  左肘
47  左腕
48  紙
50  放射能測定機能を具備するスマートフォン又は機器
51  放射能から防衛する材料で作られた手袋
52  放射線
53  放射源
【図１】
2014004100.tif 000003
【図２】
2014004100.tif 000004
【図３】
2014004100.tif 000005
【図４】
2014004100.tif 000006
【図５】
2014004100.tif 000007
【図６】
2014004100.tif 000008
【図７】
2014004100.tif 000009
【図８】
2014004100.tif 000010
【図９】
2014004100.tif 000011
【図１０】
2014004100.tif 000012
【図１１】
2014004100.tif 000013
【図１２】
2014004100.tif 000014
【図１３】
2014004100.tif 000015
【図１４】
2014004100.tif 000016
【図１５】
2014004100.tif 000017
【図１６】
2014004100.tif 000018
【図１７】
2014004100.tif 000019
【図１８】
2014004100.tif 000020
【図１９】
2014004100.tif 000021
【図２０】
2014004100.tif 000022